(57)【要約】【課題】施工が簡単で、荷重が集中しても段差が生じることがなく、汚れが溜まり難く、清掃も容易な浴室用床台を提供する。【解決手段】浴室用床台１は、高さ調整可能な２本の支持脚５を有する梁状をした３個のベース材４と、これらのベース材４によって略水平状態に保持された矩形状のサポート材３とからなるテーブル状の床架台２と、床架台２の上面を覆う表面カバー６とを備え、サポート材３および表面カバー６の長手方向の一方の端部には端部カバー７が取り付けられ、他方の端部には手掛かり８ａを有する手掛かり付き端部カバー８が取り付けられる。そして、合計６本の支持脚５は、それぞれサポート材３の周縁部である長辺の中央付近および４つの角部分を支える位置に配置されている。【選択図】  図２
2005240512.tif 000002
【特許請求の範囲】
【請求項１】
高さ調整可能な複数の支持脚を有する梁形状のベース材および複数の前記ベース材で略水平状態に保持されたサポート材からなる床架台と、前記床架台の上面を覆う表面カバーとを備えた浴室用床台において、
前記サポート材がその短辺長さが前記ベース材の長辺長さと略同一である平面視形状が矩形状のものであって、且つ前記支持脚を前記サポート材の周縁部乃至角部を支える位置に配置したことを特徴とする浴室用床台。
【請求項２】
前記サポート材に前記支持脚の上部を収容可能な開口部または切欠部を設け、前記サポート材の上面と前記支持脚の上面とが略同一面となるように配置したことを特徴とする請求項１に記載の浴室用床台。
【請求項３】
前記サポート材の端部を保持する前記ベース材と、前記サポート材の端部とを連結する部材として、前記サポート材の端部に挿入固定される挿入部と、前記ベース材上面に挿入固定する挿入部とを有するジョイント材を設けたことを特徴とする請求項１または２に記載の浴室用床台。
【発明の詳細な説明】
【技術分野】
【０００１】
本発明は、一般住宅の浴室の出入り口と浴室内の洗い場床面との段差を解消するため浴室内の洗い場床面に設置する床台に関する。
【背景技術】
【０００２】
一般住宅の浴室において、身体の不自由な人あるいは老人などが入浴する際の障害となる、浴室の出入り口と洗い場床面との段差を解消する手段として、洗い場床面に設置する様々な床台が開発されている。従来の床台としては、高さ調整用の脚を備えた支持基材を浴室の床面に複数配置し、これらの支持基材の両側へ突き出した受部に支持材の端部を係着して支持基材間に支持材を掛け渡し、その上を表面材で覆うとともに、表面材を支持基材および支持材に被着して形成されるものがある（例えば、特許文献１参照。）。
【０００３】
また、従来の床台として、床板と、この床板を支持する高さ調節可能な支持脚とからなるスノコにおいて、床板の裏面側に溝が形成され、支持脚は溝に沿って移動可能に設置されたナット状部材と、ナット状部材へねじ接続されたアジャスト部材とで構成されたものがある（例えば、特許文献２参照。）。
【０００４】
【特許文献１】特開平１１−１３１７５４号公報（第３−８頁）
【特許文献２】特開２００２−３０６３５４号公報（第３−５頁）
【発明の開示】
【発明が解決しようとする課題】
【０００５】
特許文献１に記載の床台（二重床構造）は、複数の支持材を支持基材で連結した構造であるため、床台上を歩行する入浴者の足の踏み場によっては、その体重が一つの支持材に集中することがある。また、車椅子で入浴した場合、その車輪の片方が一つの支持材上に位置すると、重量がその支持材に集中することがある。このように一つの支持材に荷重が集中するとその支持材が大きく撓むため、隣り合う支持材との間に段差が生じ、入浴者が躓いたり、車椅子の移動の妨げとなったりすることがある。また、一つの支持材に過大な荷重が加わると破壊するおそれもある。
【０００６】
さらに、特許文献１に記載の床台（二重床構造）の場合、支持基材に複数の支持材を掛け渡して固定する構造上、部品点数が多いので、組み立て工数が多く、施工には多大な労力と時間とが必要である。また、隣り合う表面材同士の隙間に汚れが溜まりやすいだけでなく、これらの隙間部分の清掃が困難である。
【０００７】
一方、特許文献２に記載の床台（スノコ）の場合、特許文献１に記載の床台（二重床構造）と同様、一つの床板に荷重が集中するとその床板が大きく撓んで、隣り合う床板との間に大きな段差が生じたり、床板が破壊したりするおそれがある。また、隣り合う床板同士の隙間に汚れが溜まりやすく、これらの隙間部分の清掃が困難である。
【０００８】
本発明が解決しようとする課題は、施工が簡単で、荷重が集中しても段差が生じることがなく、破壊強度が高く、汚れが溜まり難く、清掃も容易な浴室用床台を提供することにある。
【課題を解決するための手段】
【０００９】
本発明の浴室用床台は、高さ調整可能な複数の支持脚を有する梁形状のベース材および複数のベース材で略水平状態に保持されたサポート材からなる床架台と、床架台の上面を覆う表面カバーとを備えた浴室用床台において、
サポート材がその短辺長さがベース材の長辺長さと略同一である平面視形状が矩形状のものであって、且つ支持脚をサポート材の周縁部乃至角部を支える位置に配置したことを特徴とする。
【００１０】
このような構成とすることにより、サポート材の平面視形状が矩形状であり、且つサポート材の周縁部や角部が支持脚で支えられた状態となる結果、表面カバー上からサポート材に荷重が加わっても、その荷重は板状のサポート材全体で受けて、さらに、これら複数の支持脚に分散して伝わることとなるため、荷重が集中しても段差が生じることがなく、破壊強度も向上する。また、床架台の上面は表面カバーで覆われ、サポート材もその短辺長さがベース材の長辺長さと略同一であるため、隙間が少なく、汚れが溜まり難く、清掃も容易である。さらに、複数の支持脚を有するベース材、サポート材および表面カバーによって形成され、部品点数が少ないシンプルな構造であるため、施工も簡単である。
【００１１】
なお、本発明の浴室用床台を構成する各部材の材質は特に限定するものではないが、水場で使用しても腐食せず、洗剤などによって変質し難い合成樹脂材が望ましく、例えば、ポリプロピレンやポリ塩化ビニルなどが好適である。特に、表面カバーについては、キズがつき難いポリ塩化ビニルなどの比較的硬質の合成樹脂材で形成することが望ましい。
【００１２】
一方、サポート材に支持脚の上部を収容可能な開口部または切欠部を設け、サポート材の上面と支持脚の上面とが略同一面となるように配置することが望ましい。このような構成とすれば、支持脚の高さ調節を行う際の、支持脚の高さ方向の移動範囲を拡げることが可能となるため、高さ調節範囲が広がり、施工現場への適応性が高まる。
【００１３】
また、サポート材の端部を保持するベース材と、サポート材の端部とを連結する部材として、サポート材の端部に挿入固定される挿入部と、ベース材上面に挿入固定する挿入部とを有するジョイント材を設けることもできる。このような構成とすれば、施工現場のサイズに応じてサポート材の長さを設定することにより、サポート材の端部が、ベース材上面の一部に保持された状態となる場合、サポート材とベース材との連結強度を高めることができる。このため、床台の強度低下を回避することができ、耐久性も向上する。
【発明の効果】
【００１４】
本発明により、以下に示す効果を奏する。
【００１５】
（１）高さ調整可能な複数の支持脚を有する梁形状のベース材および複数のベース材で略水平状態に保持されたサポート材からなる床架台と、床架台の上面を覆う表面カバーとを備えた浴室用床台において、サポート材がその短辺長さがベース材の長辺長さと略同一である平面視形状が矩形状のものであって、且つ支持脚をサポート材の周縁部乃至角部を支える位置に配置したことにより、施工は簡単であり、荷重が集中しても段差が生じることがなく、破壊強度も向上し、汚れが溜まり難くなり、清掃も容易となる。
【００１６】
（２）サポート材に支持脚の上部を収容可能な開口部または切欠部を設け、サポート材の上面と支持脚の上面とが略同一面となるように配置することにより、支持脚の高さ調節範囲が広がり、施工現場への適応性が高まる。
【００１７】
（３）サポート材の端部を保持するベース材と、サポート材の端部とを連結する部材として、サポート材の端部に挿入固定される挿入部と、ベース材上面に挿入固定する挿入部とを有するジョイント材を設けることにより、サポート材の端部がベース材上面の一部に保持された状態となる場合、サポート材とベース材との連結強度を高めることができるため、床台の強度低下を回避することができ、耐久性も向上する。
【発明を実施するための最良の形態】
【００１８】
以下、本発明の実施の形態を図面に基づいて説明する。図１は本発明の第１実施形態である浴室用床台の施工状態を示す斜視図、図２は図１に示す浴室用床台の分解斜視図、図３は図１に示す浴室用床台の正面図である。また、図４は図１に示す浴室用床台を構成するサポート材の平面図、図５は図４におけるＡ−Ａ線断面図、図６は図１に示す浴室用床台を構成するベース材の斜視図、図７は図６に示すベース材の正面図、図８は図１に示す浴室用床台を構成する表面カバーの正面図である。
【００１９】
図１に示すように、本実施形態の浴室用床台１は、その複数個を浴室の洗い場床面Ｆ１に全面的に設置することにより、浴室の出入口床面Ｆ２と洗い場床面Ｆ１との段差Ｄをなくすことができるものである。
【００２０】
図２に示すように、浴室用床台１は、高さ調整可能な２本の支持脚５を有する梁状のベース材４と、３個のベース材４によって略水平状態に保持された矩形状のサポート材３とからなるテーブル状の床架台２と、床架台２の上面を覆う表面カバー６とを備え、サポート材３および表面カバー６の長手方向の一方の端部には端部カバー７が取り付けられ、他方の端部には手掛かり８ａを有する手掛かり付き端部カバー８が取り付けられる。そして、合計６本の支持脚５は、それぞれサポート材３の周縁部である長辺の中央付近および４つの角部を支える位置に配置されている。
【００２１】
このような構成とすることにより、サポート材３の断面形状が略矩形の板状であり、且つサポート材３の周縁部および角部が６本の支持脚５で支えられた状態となる結果、表面カバー６上からサポート材３に荷重が加わったとき、その荷重は板状のサポート材３全体で受けて、さらに、これら６本の支持脚５に分散して伝わることとなるため、荷重が集中しても段差が生じることがなく、破壊強度も向上する。また、床架台２の上面は表面カバー６で覆われ、サポート材３もその短辺長さがベース材４の長辺長さと略同一であるため、隙間が少なく、汚れが溜まり難く、清掃も容易である。さらに、複数の支持脚５を有するベース材４、サポート材３および表面カバー６などによって形成され、部品点数が少ないシンプルな構造であるため、施工も簡単である。
【００２２】
本実施形態においては、３個のベース材４はサポート材３の長手方向の両端部分および中央部分に配置しているが、サポート材３の長手方向のサイズが短い場合は両端部分に２個配置したり、前記サイズが長い場合は長手方向に沿って複数個配置したりすることによって床架台２の強度を確保することができる。
【００２３】
また、支持脚５はそれぞれの位置で高さ調節が可能であるため、床台１を設置する洗い場床面Ｆ１に排水用の水勾配が設けてあったり、洗い場床面Ｆ１の一部が凹んでいるなどの不陸部分があったりする場合でも、床台１をガタツキなく略水平状態に設置することができる。
【００２４】
図４，図５に示すように、断面形状が矩形をしたサポート材３は、合成樹脂材の一つであるポリ塩化ビニルを押出成形して形成したものであり、洗い場床面Ｆ１の広さに合わせてカットすることにより長手方向のサイズを調節したものである。図５に示すように、サポート材３の断面形状は、厚さ２ｍｍ程度の周壁で構成された中空体であり、外観形状は矩形板状をなしている。サポート材３の内部には厚さ方向に複数の補強リブ３ａを設けることによって、これらの補強リブ３ａで区画された挿入筒部３ｂが形成されている。
【００２５】
また、サポート材３の上面の短辺３Ｓ方向の中央部分には長辺３Ｌ方向と平行な溝部３ｃが設けられ、サポート材３の下面には長辺３Ｌ方向と平行な３本の溝３ｄが設けられている。溝部３ｄは、深くなるにつれて拡幅した断面形状となっている。サポート材３の両側面（長辺３Ｌ部分）の上方には、表面カバー６を係止するための表面カバー取付部３ｅが形成され、その下方には、サポート材３をベース材４に係止するためのベース材取付部３ｆが形成されている。また、図４に示すように、サポート材３の長辺３Ｌの中央部分および４つの角部分３Ｋには、それぞれ貫通した円筒状の開口部３ｇが設けられている。
【００２６】
ベース材４はポリプロピレンを射出成形して形成したものであり、図６，図７に示すように、ベース材４は上面部分が開放した箱形状であり、その内側に多数形成された補強リブ４ａの上面および周壁４ｋの上面で形成された受け部４ｂと、ベース材４の長手方向の両端部において受け部４ｂより上方に突設された壁部４ｃと、それぞれの壁部４ｃの内側に設けられた円筒状の脚受け部４ｄとを備えている。補強リブ４ａをベース材４の内側に設けたことにより、ベース材４をサポート材３の下面側に取り付けてテーブル状の床架台２を形成したとき、露出面に凹凸のない滑らかな外観性を有する床架台２を形成することができる。このため、床架台２には、汚れが付着し難く、もし汚れが付着することがあっても容易に落としたり、払拭したりすることができる。
【００２７】
補強リブ４ａの上面と周壁４ｋで構成される受け部４ｂは、ベース材４の幅方向に４列に分割され、幅方向の中央部分を構成する２列の中央受け部４ｅは、その２列分の幅は脚受け部４ｄの外径と同一であり、２つの脚受け部４ｄを結ぶように形成されている。また、ベース材４の幅方向の両側部を構成する端部受け部４ｆは、ベース材４の長手方向の両端にある壁部４ｃを結ぶように形成されている。
【００２８】
また、ベース材４の内部には複数の補強リブ４ａによって縦横に区画して形成された、平面視形状が略四角形の複数のポケット部４ｊが形成され、中央受け部４ｅの中央部分と端部受け部４ｆ部分に、ベース材４の底面まで貫通した取付孔４ｇが形成されている。これらの取付孔４ｇの、ベース材４の長手方向の配置間隔は、サポート材３の下面に設けられた３本の溝３ｄの配置間隔と同一となっている。
【００２９】
ベース材４の長手方向の端部の壁部４ｃの配置間隔は、サポート材３のベース取付部３ｆの短辺３Ｓ方向の長さと略同一であり、受け部４ｂからの壁部４ｃの突出長さはベース取付部３ｆのサポート材３の厚さ方向の寸法と略同一である。ベース材４の長手方向の端部において隣り合う壁部４ｃの間には、ベース材４の長手方向の外側に突出した当て部４ｈが形成され、それぞれの壁部４ｃの上方には、ベース材４の長手方向に貫通する取付孔４ｉが設けられている。
【００３０】
脚受け部４ｄの配置間隔は、サポート材３の開口部３ｇの短辺３Ｓ方向の配置間隔と同一であり、脚受け部４ｄの外径と、開口部３ｇの内径とは略同一である。また、受け部４ｂからの脚受け部４ｄの突出長さは、サポート材３の厚さと略同一である。したがって、ベース材４の一対の脚受け部４ｄを、サポート材３の下面側に取り付けたとき、脚受け部４ｄは開口部３ｇに隙間なく挿入され、対向する壁部４ｃは、サポート材３の長辺３Ｌ部分にあるベース取付部３ｆを隙間なく挟持する。
【００３１】
そして、ベース材４の中央受け部４ｅと端部受け部４ｆ部分にある取付孔４ｇの下端から挿入されたビス（図示せず）を、サポート材３下面の溝３ｄから上方へ螺入させ、ベース材４の壁部４ｃの取付孔４ｉから挿入したビス（図示せず）をサポート材３のベース取付部３ｆに螺入させることによって、ベース材４とサポート材３とを固定する。サポート材３の下面には溝３ｄを設けているため、ビスの位置合わせが容易であり、確実な結め付けを行うことができ、ベース取付部３ｆはその周辺部分より肉厚としているため強い締結力を得ることができる。
【００３２】
サポート材３の長辺３Ｌ方向の中央部分にある開口部３ｇにベース材４を取り付ける場合、サポート材３の下面をベース材４の受け部４ｂが全面的に支えられるとともに、５カ所の取付孔４ｇから挿入したビス（図示せず）によって固定される。また、ベース材４の壁部４ｃにある４カ所の取付孔４ｉから挿入したビス（図示せず）をサポート材３のベース取付部３ｆに螺入させることによってベース材４とサポート材３とが固定される。
【００３３】
サポート材３の長辺３Ｌ方向の両端部分にある開口部３ｇにベース材４を取り付ける場合、サポート材３の長辺３Ｌ方向の端部が、ベース材４の脚受け部４ｄの端部と一致するため、サポート材３の下面はベース材４の受け部４ｂを構成する４列のうちの中央受け部４ｅおよび片側の端部受け部４ｆの合計３列によって支えられ、３カ所の取付孔４ｇの下端から挿入されたビス（図示せず）によって固定されるとともに、ベース材４の壁部４ｃにある２カ所の取付孔４ｉから挿入されたビス（図示せず）によって固定される。
【００３４】
ベース材４の脚受け部４ｄの内周面には雌ねじ部（図示せず）が形成されているため、上部外周面に雄ねじ部（図示せず）が形成された支持脚５を脚受け部４ｄ内に挿入するとともに、脚受け部４ｄの雌ねじ部に支持脚５の雄ねじ部を螺合させることによって、支持脚５を脚受け部４ｄに螺着することができる。
【００３５】
したがって、支持脚５の高さ調節は、脚受け部４ｄの雌ねじ部に対する支持脚５の雄ねじ部の螺入量の変更によって行うことができる。受け部４ｂからの脚受け部４ｄの突出長さを、サポート材３の厚さと略同一としているため、脚受け部４ｄの上端面がサポート材３の上面と同じ高さとなり、サポート材３とベース材４との組み合わせで形成される床架台２の高さをそのまま床台１の高さ調節範囲とすることが可能である。
【００３６】
また、床架台２を形成した場合、脚受け部４ｄの上端部分は開口状態にあるため、脚受け部４ｄに螺入されている支持脚５の上端面に工具係止手段、例えば、十字溝あるいは六角溝を設ければ、プラスドライバーあるいは六角レンチなどの工具を床架台２の上面側から脚受け部４ｄ内に差し込んで十字溝あるいは六角溝に係合させることにより、支持脚５を回転させて高さ調節を行うことができる。
【００３７】
一方、図６に示すように、ベース材４の長手方向の両端部にはそれぞれ一対の壁部４ｃが設けられ、それぞれの一対の壁部４ｃの間には、ベース材４の長手方向に突出した形状の当て部４ｈが設けられている。これらの当て部４ｈのベース材４長手方向の外寸を、表面カバー６の幅よりも２〜４ｍｍ程度大きく設定すると、表面カバー６を床架台２の上面に取り付けて床台１を構成したとき、当て部４ｈが表面カバー６の両側部分から２〜４ｍｍ突き出した状態となる。したがって、図１で示したように、複数の床台１を洗い場床面Ｆ１に設置するとき、隣り合う床台１の当て部４ｈ同士が当接することによって、隣り合う床台１の表面カバー６同士の間に強制的に４ｍｍ程度の隙間が形成される。このため、これらの隙間が床台１の上面を流れる湯水の排水経路として機能する。
【００３８】
図８に示すように、表面カバー６は塩化ビニルを押出成形したものであり、その長手方向の寸法は洗い場床面Ｆ１の寸法に合わせてカットすることによって設定されている。表面カバー６の上面は、幅方向の中央部分を稜線とし、その両側に向かって下り勾配面を設けた形状であるため、表面カバー６の上面の湯水を両側へ誘導することができる。また、幅方向の中央部分の下面には、下方に突出するとともに先端部に幅方向に突出した爪部６ａを有する一対の突き出し部６ｂが設けられ、幅方向の両端部分には、下方に突き出した押さえ部６ｃが設けられている。
【００３９】
一対の突き出し部６ｂの幅方向の外寸法はサポート材３の上面にある溝部３ｃの上方部分の幅方向の内寸法と同一に設定し、突き出し部６ｂの突出長さを溝部３ｃの深さと同一に設定している。したがって、表面カバー６をサポート材３の上面に装着したとき、突き出し部６ｂが、サポート材３の溝部３ｃに嵌合されることによって、表面カバー６の中央部分がサポート材３の中央部分に固定される。
【００４０】
また、表面カバー６の幅方向の両端部分の押さえ部６ｃ同士の内寸法は、サポート材３の短辺３Ｓ方向の外寸法と同一であり、押さえ部６ｃを水平方向に貫設された貫通孔６ｄに挿通したビス（図示せず）によって押さえ部６ｃをサポート材３の長辺３Ｌ部分の側面に固定する。
【００４１】
これにより、床台１を構成するサポート材３および表面カバー６の幅方向の寸法精度が良くない場合、表面カバー６の突き出し部６ｂがサポート材３の溝部３ｃに嵌合することによって生じる表面カバー６の押さえ部６ｃとサポート材３の側面との隙間を均等に２分することができるとともに、貫通孔６ｄに挿通するビス（図示せず）によって前記隙間をなくした状態で固定することができる。
【００４２】
図９に示す端部カバー７および図１０に示す手掛かり付き端部カバー８はいずれもポリプロピレンを射出成形して形成したものである。端部カバー７は、その長手方向の中央部分に２個および両端部分にそれぞれ１個の挿入部７ａと、上面から突出状に形成されたカバー部７ｂを備えている。手掛かり付き端部カバー８も同様に、４個の挿入部８ａとカバー部８ｂとを備え、その長さ方向の中央部分に手先が入る程度の大きさに凹んだ手掛かり部８ｃが設けられている。
【００４３】
カバー部７ｂ，８ｂはいずれも表面カバー６の上面端部を覆う形状であり、突き出し長さは５ｍｍ程度である。端部カバー７および手掛かり付き端部カバー８は、床架台２の長手方向の両端部にあるベース材４の端部受け部４ｆの補強リブ４ａで構成されるポケット部４ｊに挿入部７ａ，８ａを挿入し、底面２カ所の取付孔４ｇおよび両側部２カ所の取付孔４ｉの合計４カ所をビス止めすることによって固定される。
【００４４】
床台１の両端部分に端部カバー７、手掛かり付き端部カバー８を装着したことにより、サポート材３あるいは表面カバー６のカット部分に生じるバリやエッジなどを覆うことができる。したがって、清掃などの目的で床台１を持ち上げたときバリやエッジで怪我をするのを防止することができる。また、手掛かり付き端部カバー８には、手掛かり部８ｃがあるため、この手掛かり部８ｃに手先を挿入すれば床台１を簡単に持ち上げることができ、清掃作業性が良好である。
【００４５】
本実施形態の床台１においては、梁状をしたベース材４の長手方向が矩形板状のサポート材３の短辺３Ｓ方向と平行をなすように配置しているため、サポート材３の長辺３Ｌ方向のサイズの変動に対し、複数のベース材４の配置間隔を変更することによって対応することができる。このため、施工現場である洗い場床面Ｆ１のサイズに的確に対応した施工を行うことが可能であり、施工性も優れている。
【００４６】
また、サポート材３にベース材４の支持脚５の上部を収容可能な開口部３ｄを設けているため、支持脚５の高さ調節を行う際の、支持脚５の高さ方向の移動範囲を十分に確保することができ、高さ調節範囲が広がり、施工現場への適応性が高い。
【００４７】
浴室用床台１においては、サポート材３の長さを変えることによって長さ方向の調節が可能である。また、幅方向については、例えば、３００ｍｍ、４００ｍｍの２種類の幅の床台１を用意しておき、これらを組み合わせて設置することにより、洗い場床面の広さに応じた調節が可能である。すなわち、幅方向が１２００ｍｍの洗い場に設置する場合は、幅が４００ｍｍの床台１を３個並べて設置することによって対応することができ、幅方向が１０００ｍｍの洗い場に設置する場合は幅が４００ｍｍの床台１を２個と、幅が３００ｍｍの床台１を１個とを並べて設置することによって対応することができる。
【００４８】
次に、図１１〜図１４を参照して、本発明の第２実施形態である浴室用床台２０について説明する。なお、図１１〜図１４において、前述した第１実施形態の浴室用床台１の構成部分と同じ機能、効果を発揮する部分については同じ符号を付して説明を省略する。
【００４９】
図１１に示すように、本実施形態の浴室用床台２０では、サポート材２３の両端部に配置されたベース材４と、サポート材４の端部とを連結する部材としてジョイント材２１を設けている。図１２〜図１４に示すように、ジョイント材２１は、サポート材２３に形成された挿入筒部３ｂに嵌入可能な４個の挿入部２１ａと、ベース材４に設けられたポケット部４ｊに嵌入可能な４個の挿入部２１ｂと、前述したサポート材３の溝部３ｃと同じ機能を有する溝部２１ｃとを備えており、その外観はブロック状である。
【００５０】
本実施形態の浴室用床台２０の場合、サポート材２３の端部を切断して、その長さを施工現場である浴室の洗い場床面の大きさ合わせて調整することができる。そして、図１２に示すように、サポート材２３の端部が、ベース材４の上面の一部に保持された状態となる場合、ジョイント材２１の４個の挿入部２１ａをサポート材２３の挿入筒部３ｂにそれぞれ嵌入し、４個の挿入部２１ｂをベース材４のポケット部４ｊにそれぞれ嵌入させることによって、サポート材２３とベース材４との連結強度を高めることができる。
【００５１】
このため、サポート材２３の端部が、ベース材４の上面の一部に保持された状態であっても、床台２０の強度低下を回避することができ、優れた耐久性を発揮する。そのほかの機能、効果については、第１実施形態の浴室用床台１と同様である。
【産業上の利用可能性】
【００５２】
本発明の浴室用床台は一般住宅の浴室における洗い場床面と出入口床面との段差解消手段として広く利用することができる。
【図面の簡単な説明】
【００５３】
【図１】本発明の第１実施形態である浴室用床台の施工状態を示す斜視図である。
【図２】図１に示す浴室用床台の分解斜視図である。
【図３】図１に示す浴室用床台の正面図である。
【図４】図１に示す浴室用床台を構成するサポート材の平面図である。
【図５】図４におけるＡ−Ａ線断面図である。
【図６】図１に示す浴室用床台を構成するベース材の斜視図である。
【図７】図６に示すベース材の正面図である。
【図８】図１に示す浴室用床台を構成する表面カバーの正面図である。
【図９】図２に示す端部カバーの斜視図である。
【図１０】図２に示す手掛かり付き端部カバーの斜視図である。
【図１１】本発明の第２実施形態である浴室用床台を示す分解斜視図である。
【図１２】図１１に示す浴室用床台におけるサポート材、ジョイント材およびベース材の連結関係を示す分解斜視図である。
【図１３】図１２に示すジョイント材の斜視図である。
【図１４】図１３に示すジョイント材の背面図である。
【符号の説明】
【００５４】
１，２０  浴室用床台
２  床架台
３，２３  サポート材
３ａ  補強リブ
３ｂ  挿入筒部
３ｃ，２１ｃ  溝部
３ｄ  溝
３ｅ  表面カバー取付部
３ｆ  ベース材取付部
３ｇ  開口部
３Ｋ  角部分
３Ｌ  長辺
３Ｓ  短辺
４  ベース材
４ａ  補強リブ
４ｂ  受け部
４ｃ  壁部
４ｄ  脚受け部
４ｅ  中央受け部
４ｆ  端部受け部
４ｇ  取付孔
４ｈ  当て部
４ｉ  取付孔
４ｊ  ポケット部
４ｋ  周壁
５  支持脚
６，２６  表面カバー
６ａ  爪部
６ｂ  突き出し部
６ｃ  押さえ部
６ｄ  貫通孔
７  端部カバー
８  手掛かり付き端部カバー
８ｃ  手掛かり部
７ａ，８ａ  挿入部
７ｂ，８ｂ  カバー部
８ａ  手掛かり部
２１  ジョイント材
２１ａ，２１ｂ  挿入部
Ｄ  段差
Ｆ１  洗い場床面
Ｆ２  出入り口床面
【図１】
2005240512.tif 000003
【図２】
2005240512.tif 000004
【図３】
2005240512.tif 000005
【図４】
2005240512.tif 000006
【図５】
2005240512.tif 000007
【図６】
2005240512.tif 000008
【図７】
2005240512.tif 000009
【図８】
2005240512.tif 000010
【図９】
2005240512.tif 000011
【図１０】
2005240512.tif 000012
【図１１】
2005240512.tif 000013
【図１２】
2005240512.tif 000014
【図１３】
2005240512.tif 000015
【図１４】
2005240512.tif 000016